(57)【要約】【課題】誤って組み立てられることを抑制できる安全帯を提供する。【解決手段】安全帯１は、一対の肩帯２，３と、一対の腿帯４，５と、下方分岐部材７と、上方分岐部材８とを備える。装着者の背中で重ね合わされた一対の肩帯２，３は、両分岐部材７，８により対応する腿帯４，５又は装着者の肩に向かって分岐する。上方分岐部材８は、右肩帯２を通す第１挿通孔と、左肩帯３を通す第２挿通孔とを備える。第１挿通孔と第２挿通孔とはその内端部同士が互いに重なり合い、第１挿通孔の内端部は、第２挿通孔の内端部よりも上方に位置する。下方分岐部材７は、右肩帯２を左腿帯４に向かわせる第３挿通孔と、左肩帯３を右腿帯５に向かわせる第４挿通孔とを備える。第３挿通孔と第４挿通孔とはその内端部同士が互いに重なり合い、第３挿通孔の内端部は、第４挿通孔の内端部よりも下方に位置する。【選択図】図１
2015080578.tif 000002
【特許請求の範囲】
【請求項１】
装着者の両肩に夫々掛け回される一対の肩帯と、
前記装着者の両腿に夫々巻き回される一対の腿帯とを備える安全帯であって、
一対の前記肩帯が前記装着者の背中で重ね合わされた状態から、対応する前記装着者の肩に向かって分岐する上方分岐部材と、
一対の前記肩帯が前記装着者の背中で重ね合わされた状態から、対応する前記腿帯に向かって分岐する下方分岐部材とを備え、
前記上方分岐部材は、前記装着者の両肩の一方に向かう前記肩帯を通す第１挿通孔と、前記装着者の両肩の他方に向かう前記肩帯を通す第２挿通孔とを備え、
前記第１挿通孔と前記第２挿通孔とは、上下方向において一部が重なるように配置され、
前記第１挿通孔と前記第２挿通孔とが重なる部分において、前記第１挿通孔の部分は、前記第２挿通孔の部分よりも上方に位置し、
前記下方分岐部材は、前記第１挿通孔を通って前記装着者の一方の肩に掛け回される肩帯を前記装着者の他方の腿に巻き回される他方の腿帯に向かうように設けられた第３挿通孔と、前記第２挿通孔を通って、前記装着者の他方の肩に掛け回される肩帯を前記装着者の一方の腿に巻き回される一方の腿帯に向かうように設けられた第４挿通孔とを備え、
前記第３挿通孔と前記第４挿通孔とは、上下方向において一部が重なるように配置され、
前記第３挿通孔と前記第４挿通孔とが重なる部分において、前記第３挿通孔の部分は、前記第４挿通孔の部分よりも下方に位置することを特徴とする安全帯。
【請求項２】
請求項１に記載の安全帯であって、
前記装着者の腰に巻き回される腰帯を備え、
前記下方分岐部材には、前記肩帯を固定する固定部と、前記腰帯を通す腰帯孔とが設けられることを特徴とする安全帯。
【発明の詳細な説明】
【技術分野】
【０００１】
本発明は、人間が高所で作業するときなどに用いられる安全帯に関する。
【背景技術】
【０００２】
従来、高い場所で作業する作業員（装着者）に命綱を付けて装着される所謂フルハーネス型の安全帯であり、装着者の両肩に夫々掛け回される一対の肩帯と、装着者の両腿に夫々巻き回される一対の腿帯とを備えるものが知られている（例えば、特許文献１参照）。
【０００３】
所謂フルハーネス型の安全帯では、装着者の右肩に掛け回される右肩帯は、装着者の左腿に巻き回される左腿帯に連結される。反対に装着者の左肩に掛け回される左肩帯は、装着者の右腿に巻き回される右腿帯に連結される。特許文献１の安全帯は、装着者の背中で両肩帯をＸ字状に交差させるパッドを備える所謂Ｘ型安全帯である。
【０００４】
また、装着者の動き易さを向上させるべく、両腿帯から延びる２つの肩帯を装着者の腰のあたりに設けられた結束具で一度まとめるように重ね合わせて、その後、装着者の背中のあたりに位置する分岐部材を用いて対応する装着者の肩に向かうように肩帯をＹ字状に分岐させる安全帯（Ｙ型安全帯）も知られている（例えば、特許文献２参照）。
【０００５】
分岐部材には、右肩帯を装着者の右肩へ向けて分岐させる第１挿通孔と、左腿帯を装着者の左肩へ向けて分岐させる第２挿通孔とが設けられている。
【先行技術文献】
【特許文献】
【０００６】
【特許文献１】特開２００６−２２３６３９号公報
【特許文献２】特開２０１３−８１５９７号公報
【発明の概要】
【発明が解決しようとする課題】
【０００７】
従来のＹ型安全帯では、両肩帯が結束具でまとめられるため、例えば、左腿帯に連結された右肩帯を誤って第２挿通孔へ通し、装着者の左肩へ向けて分岐させるなど、安全帯が誤って組み立てられる誤組みの虞がある。このような安全帯は市場に流通する前の検査で組み立て直されるが、組み立て直すには時間を要し、安全帯の歩留まりの低下へとつながる。
【０００８】
本発明は、以上の点に鑑み、誤って組み立てられることを抑制できる安全帯を提供することを目的とする。
【課題を解決するための手段】
【０００９】
上記目的を達成するため、本発明は、装着者の両肩に夫々掛け回される一対の肩帯と、前記装着者の両腿に夫々巻き回される一対の腿帯とを備える安全帯であって、一対の前記肩帯が前記装着者の背中で重ね合わされた状態から、対応する前記装着者の肩に向かって分岐する上方分岐部材と、一対の前記肩帯が前記装着者の背中で重ね合わされた状態から、対応する前記腿帯に向かって分岐する下方分岐部材とを備え、前記上方分岐部材は、前記装着者の両肩の一方に向かう前記肩帯を通す第１挿通孔と、前記装着者の両肩の他方に向かう前記肩帯を通す第２挿通孔とを備え、前記第１挿通孔と前記第２挿通孔とは、上下方向において一部が重なるように配置され、前記第１挿通孔と前記第２挿通孔とが重なる部分において、前記第１挿通孔の部分は、前記第２挿通孔の部分よりも上方に位置し、前記下方分岐部材は、前記第１挿通孔を通って前記装着者の一方の肩に掛け回される肩帯を前記装着者の他方の腿に巻き回される他方の腿帯に向かうように設けられた第３挿通孔と、前記第２挿通孔を通って、前記装着者の他方の肩に掛け回される肩帯を前記装着者の一方の腿に巻き回される一方の腿帯に向かうように設けられた第４挿通孔とを備え、前記第３挿通孔と前記第４挿通孔とは、上下方向において一部が重なるように配置され、前記第３挿通孔と前記第４挿通孔とが重なる部分において、前記第３挿通孔の部分は、前記第４挿通孔の部分よりも下方に位置することを特徴とする。
【００１０】
本発明によれば、実施形態で説明するように、上方分岐部材および下方分岐部材に通す肩帯を間違った挿通孔に通して組み立てられることを抑制することができ、安全帯の歩留まりを向上させることができる。
【００１１】
また、本発明においては、装着者の腰に巻き回される腰帯を設け、下方分岐部材に、肩帯を固定する固定部と、腰帯を通す腰帯孔とを設けることができる。かかる構成によれば、腰帯に工具などをぶら下げてもその荷重を肩帯でしっかりと支えることができる。これにより、別途腰帯用のサスペンダーなどを取り付けて工具の荷重を支える必要がなく、便利である。
【図面の簡単な説明】
【００１２】
【図１】本発明の安全帯の実施形態を示す説明図。
【図２】図２Ａは本実施形態の上方分岐部材を示す説明図。図２Ｂは本実施形態の上方分岐部材を示す断面図
【図３】図３Ａは本実施形態の下方分岐部材を示す説明図。図３Ｂは本実施形態の下方分岐部材を示す断面図。
【図４】本発明の安全帯の他の実施形態を示す説明図。
【発明を実施するための形態】
【００１３】
図１から図３を参照して本発明の安全帯の実施形態を説明する。図１に示すように、本実施形態の安全帯１は、高い場所で作業する作業員（装着者）に命綱を付けて装着される所謂フルハーネス型のものであり、装着者の両肩に夫々掛け回される一対の肩帯２，３と、装着者の両腿に夫々巻き回される一対の腿帯４，５と、装着者の腰に巻き回される腰帯６とを備える。
【００１４】
装着者の一方の肩（右肩）に掛け回される右肩帯２の後端は、装着者の他方の腿（左腿）に巻き回される環状の左腿帯４の後部分に接続される。また、右肩帯２の前端は、装着者の一方の腿（右腿）に巻き回される環状の右腿帯５の前部分に接続される。
【００１５】
装着者の他方の肩（左肩）に掛け回される左肩帯３の後端は、装着者の一方の腿（右腿）に巻き回される環状の右腿帯５の後部分に接続される。また、左肩帯３の前端は、装着者の他方の腿（左腿）に巻き回される環状の左腿帯４の前部分に接続される。
【００１６】
一対の肩帯２，３は、下方分岐部材７により装着者の背中で一度束ねられる様に重ね合わせてから、上方分岐部材８を通って、両肩に向かって分かれる。
【００１７】
図２に示すように、上方分岐部材８は、固定部としての５つのスリット９と、第１挿通孔１０と、第２挿通孔１１とを備える。第１挿通孔１０は、右肩帯２を通す挿通孔であり、第２挿通孔１１は、左肩帯３を通す挿通孔である。第１挿通孔１０と第２挿通孔１１とは、互いに接近する内端部１０ａ，１１ａが上下方向に間隔を存して重なるように配置されている。第１挿通孔１０と第２挿通孔１１とが重なる部分（内端部１０ａ，１１ａ）において、第１挿通孔１０の内端部１０ａは、第２挿通孔１１の内端部１１ａよりも上方に位置している。
【００１８】
５つのスリット９のうち最も下方に位置するスリット９は、そのスリット９に挿通される両肩帯２，３の幅より若干大きめに形成されている。そして、残りの４つのスリット９は、上方に向かうにしたがって次第に幅広となるように形成されている。５つのスリット９のうち最も上方に位置するスリット９は、第１挿通孔１０と第２挿通孔１１の互いに離隔する方向に位置する外端部１０ｂ，１１ｂの距離よりも若干小さくなるように形成されている。
【００１９】
これにより、５つのスリット９で肩帯２，３をしっかりと固定できるとともに、右肩帯２を第１挿通孔１０に通して装着者の右肩へ向かうように、また左肩帯３を第２挿通孔１１に通して装着者の左肩へ向かうように、肩帯２，３のヨレを防ぎながら容易に分けることができる。
【００２０】
図３に示すように、下方分岐部材７は、主に上方分岐部材８を１８０度回転させたものと同一形状の上方分岐部材８の点対称形状となっており、下から順に第３挿通孔１２と、第４挿通孔１３と、固定部としての５つのスリット９とを備える。第３挿通孔１２は、左腿帯４に連結される右肩帯２を通す挿通孔であり、第４挿通孔１３は、右腿帯５に連結される左肩帯３を通す挿通孔である。
【００２１】
第３挿通孔１２と第４挿通孔１３とは、互いに接近する内端部１２ａ，１３ａが上下方向に間隔を存して重なるように配置されている。第３挿通孔１２と第４挿通孔１３とが重なる部分（内端部１２ａ，１３ａ）において、第３挿通孔１２の内端部１２ａは、第４挿通孔１３の内端部１３ａよりも下方に位置している。
【００２２】
５つのスリット９のうち最も上方に位置するスリット９は、そのスリット９に挿通される両肩帯２，３の幅より若干大きめに形成されている。そして、残りの４つのスリット９は、下方に向かうにしたがって次第に幅広となるように形成されている。５つのスリット９のうち最も下方に位置するスリット９は、第３挿通孔１２と第４挿通孔１３の互いに離隔する方向に位置する外端部１２ｂ，１３ｂの距離よりも若干小さくなるように形成されている。
【００２３】
これにより、５つのスリット９で肩帯２，３をしっかりと固定できるとともに、右肩帯２を第３挿通孔１２に通して左腿帯４へ向かうように、また左肩帯３を第４挿通孔１３に通して右腿帯５へ向かうように、肩帯２，３のヨレを防ぎながら容易に分けることができる。
【００２４】
また、図１及び図３Ｂに示すように、下方分岐部材７の内側の両側縁には、下方分岐部材７の縁に沿うように一対の側片１４が突設されている。両側片１４には、腰帯６を通す一対の腰帯孔１５が設けられている。下方分岐部材７は、固定部としての５つのスリット９で肩帯２，３にしっかりと固定される。そして、腰帯６は、左右方向に間隔を存して下方分岐部材７に設けられた腰帯孔１５に通される。これにより、腰帯６に工具を入れた工具袋などをぶら下げても、別途腰帯用のサスペンダーなどを取り付けることなく、肩帯２，３で腰帯６をしっかりと支えることができる。
【００２５】
次に、本実施形態の安全帯の組み立て方法の一例について説明する。
【００２６】
まず、第１工程として、左腿帯４に連結される右肩帯２を第１挿通孔１０に通し、右腿帯５に連結される左肩帯３を第２挿通孔１１に通す。そして、第２工程として、両肩帯２，３を、重ね合わせた状態で上方分岐部材８の５つのスリット９へ上から順に通した後、重ね合わされた両肩帯２，３を、下方分岐部材７の５つのスリット９へ上から順に通す。次に、第３工程として、右腿帯５に連結される左肩帯３を、第４挿通孔１３に通す。そして、第４工程として、左腿帯４に連結さえる右肩帯２を、第３挿通孔１２に通す。
【００２７】
このとき、下方分岐部材７と上方分岐部材８との間では、右肩帯２が外側、左肩帯３が内側となるように両肩帯２，３が重なり合っている。従って、第３工程で左肩帯３を誤って第３挿通孔１２に通している場合には、第３挿通孔１２の内端部１２ａと上下方向で重なり合う第４挿通孔１３の内端部１３ａが左肩帯３によって覆い隠される。よって、右肩帯２を第４挿通孔１３に通すことができず、安全帯１の生産者は左肩帯３を誤って第３挿通孔１２に通していることに気付くことができる。
【００２８】
これにより、本実施形態の安全帯１によれば、従来のように、安全帯１が完全に組み上がってから、その後のチェックにより、安全帯１が誤って組み立てられていること（誤組み）に気付く場合と比較して、誤組みを抑制して、安全帯１の歩留まりの向上を図ることができる。
【００２９】
なお、組み立て方法としては、肩帯２，３を下方分岐部材７に通してから上方分岐部材８に通してもよい。また、本実施形態では本発明の一方を右とし、他方を左として説明したが、本発明の一方を左とし、他方を右としてもよい。また、肩帯２，３は左右を区別するための色や模様などを付してもよい。色や模様を伏す場合、安全帯の製造コストが嵩む虞があるものの、安全帯の誤組みを更に抑制し易くなる。
【００３０】
図４は、下方分岐部材７又は上方分岐部材８の他の実施形態を示したものである。なお、図４の他の実施形態において、前述した実施形態と同一の構成については、同一の符号を付してその説明を省略する。
【００３１】
図４に示す他の実施形態の下方分岐部材７又は上方分岐部材８は、スリット９と挿通孔１０〜１３との間に位置させて、肩帯２，３のヨレをより防止し易くすべく肩帯２，３の幅方向外側部分を外側に膨らませるように突出する突部１６を設けている。
【００３２】
ここで、肩帯２，３は、上方分岐部材８で装着者の両肩に向かって分かれる。このとき、肩帯２，３の幅方向外側で必要な折れ曲がり量は小さく、反対に肩帯２，３の幅方向内側で必要な折れ曲がり量は大きい。従って、肩帯２，３の折れ曲がり部分では、幅方向外側の部分でヨレが発生し易い。
【００３３】
そこで、上述の如く、肩帯２，３の折れ曲がり部分で、肩帯２，３の幅方向外側部分を外側に膨らませるように突出する突部１６を設ければ、突部１６で肩帯２，３の外側部分が膨らむため、肩帯２，３のヨレをより防止し易くすることができる。換言すれば、突部１６で意図的なヨレを発生させて、肩帯２，３の左右不揃いの所謂波うち（ヨレ）が発生し、肩帯２，３の折れ曲がり部分の美観が損なわれることを防止できる。
【符号の説明】
【００３４】
１  安全帯
２  右肩帯
３  左肩帯
４  左腿帯
５  右腿帯
６  腰帯
７  下方分岐部材
８  上方分岐部材
９  スリット
１０  第１挿通孔
１０ａ  内端部
１０ｂ  外端部
１１  第２挿通孔
１１ａ  内端部
１１ｂ  外端部
１２  第３挿通孔
１２ａ  内端部
１２ｂ  外端部
１３  第４挿通孔
１３ａ  内端部
１３ｂ  外端部
１４  側片
１５  腰帯孔
１６  突部
【図１】
2015080578.tif 000003
【図２】
2015080578.tif 000004
【図３】
2015080578.tif 000005
【図４】
2015080578.tif 000006